(57)【要約】【課題】  本発明は、屋根に設置する雪止め具に関するものである。 【解決手段】  全体の底面部の枠材１上に適当間隔をおいて設置する立杆３，３’，３はその前側面部４，４’，４と上側面部５，５’，５と後側面部６，６’，６とが前傾状に形成し、全立杆の前側面部，上側面部及び後側面部間には横杆８，８’を架設して連結し、前記立杆の内部においてはそれぞれ支杆９・を架設し、前記立杆の底横杆１０・と立杆の後側面部に架設した後横杆８’との間に斜杆１１を架設して成るものである。【特許請求の範囲】
【請求項１】
全体の底面部の枠材上に適当間隔をおいて設置する立杆はその前側面部と上側面部と後側面部とが前傾状に形成し、全立杆の前側面部，上側面部及び後側面部間には横杆を架設して連結し、前記立杆の内部においてはそれぞれ支杆を架設し、前記立杆の底横杆と立杆の後側面部に架設した後横杆との間に斜杆を架設して成ることを特徴とするソーラーパネル用雪止め具。
【請求項２】
底面部の枠材の縦横長さは自由であり、枠材上に設置する立杆数も自由に成ることを特徴とする請求項１に記載したソーラーパネル用雪止め具。
【発明の詳細な説明】
【技術分野】
【０００１】
本発明は、屋根に設置するソーラーパネルの周囲適所に配置する雪止め具に関するものである。
【背景技術】
【０００２】
冬期間の降雪地方においても、それ以外の期間にあっては屋根上に広範囲にわたってソーラーパネルを設置する工場や家屋も多いところ、冬期間の降雪時における対策としては、雪止め効果や融雪効果を発揮するような器具を配置することは殆どなく、無策であった。
【０００３】
例えば、次に例示する文献も、通常の屋根における雪止め具であって、特にソーラーパネルに対応するようなスノーストッパーを目的とするものではないのである。
【先行技術文献】
【特許文献】
【０００４】
【特許文献１】特開２０１２−２２９６０２号公報
【発明の概要】
【発明が解決しようとする課題】
【０００５】
そこで、本発明は、主としてソーラーパネル保護のための雪止め具として、降積雪に対する切断を迅速に行うようにしたり、溶解することができる器具として提供することを目的とするものである。
【課題を解決するための手段】
【０００６】
本発明は、全体の底面部の枠材上に適当間隔をおいて設置する立杆はその前側面部と上側面部と後側面部とが前傾状に形成し、全立杆の前側面部，上側面部及び後側面部間には横杆を架設して連結し、前記立杆の内部においてはそれぞれ支杆を架設し、前記立杆の底横杆と立杆の後側面部に架設した後横杆との間に斜杆を架設して成るものである。
【発明の効果】
【０００７】
ソーラーパネル材を所定屋根の勾配面に設置した枠材上に設置した各立杆の前側面部，上側面部及び後側面部の全体は前傾形状に成ることから、降積雪に対する切断効果を常に迅速かつ良好に発揮することができるようになる。
【０００８】
枠材上に適当間隔をおいて設置している複数個の立杆にはそれぞれ斜杆を架設しているから、降積雪に対する切断機能の発揮を円滑に迅速することができるようになる。
【図面の簡単な説明】
【０００９】
【図１】実施例１のノーマル型の斜視図
【図２】図１の側面図
【図３】実施例１の２本型の斜視図
【図４】図３の側面図
【図５】実施例１の３本型の斜視図
【図６】図５の側面図
【図７】実施例１の格子型の斜視図
【図８】図７の側面図
【図９】実施例２の斜視図
【図１０】実施例３のノーマル型の斜視図
【図１１】図１０の側面図
【図１２】実施例３の２本型の斜視図
【図１３】図１２の側面図
【図１４】実施例３の３本型の斜視図
【図１５】図１４の側面図
【図１６】実施例３の格子型の斜視図
【図１７】図１６の側面図
【発明を実施するための形態】
【００１０】
本発明における構成の形態は、各実施例に見られるように、多彩なものを製作することができ、それらがすべて屋根上のソーラーパネルの周囲にあって、降積雪に対する切断力を良好に発揮し、かつ溶解速度を迅速に発揮することができるのである。
【００１１】
この作用は、枠材全体の形状が短尺型のものであろうと、長尺連結型のものであろうと、変わりないのである。
【実施例１】
【００１２】
図１乃至図８に係る器具は比較的小型の長方形状に成るもので、例えば横３６０ｍｍ，縦２１０ｍｍ，高さ２８０ｍｍの寸法で、使用する線材はФ４．００ｍｍであるところ、
【００１３】
図１・図２は長方形状の底面部が空白状態に成るノーマル型ａであり，
【００１４】
図３・図４は底面部に２本線材を架設した２本型ｂであり，
【００１５】
図５・図６は底面部に３本線材を架設した３本型ｃであり，
【００１６】
図７・図８は底面部が格子線材を架設した格子型ｄである。
【００１７】
即ち、器具の底面部においては、ノーマル型ａ，２本型ｂ，３本型ｃ及び格子型ｄの各種にあっても、それ以外の位置における線材形状は、前側面部が低く、後側面部が高く、この前後両側面部を結ぶ上側面部は後頂高の山形状に形成して成る共通の構成態様の実施例から成るものである。
【００１８】
１は全体の底面部を長方形に構成する枠材で、この枠材の左右両側部下には台板２，２，２，２を固着する。
【００１９】
３，３は前記枠材１の左右両側端部上に立設した立杆で、この立杆は前側面部４，４の上側部が下側部に対して前傾状に成るとともに上側面部５，５が後側方向に高く成り、この上側面部５，５は頂高のまま前傾状に後側面部６，６を形成して成る。
【００２０】
７，７は前記立杆３，３の底面部に設けた底杆で、この底杆はそれぞれの枠材１の上方部に設置される。
【００２１】
前記両立杆３，３の中間部には、やはり同一形状に成る立杆３’を設けるが、この立杆の底面部には底杆７’の設けはあっても枠材の設置はなく、前後側の枠材１，１上に立設するように成る。
【００２２】
前記立杆３’は前側面部４’の上側部が下側部に対して前傾状に成るとともに上側面部５’が後側方向に高く成り、この上側面部は頂高のまま前傾状に後側面部６’を形成して成る。
【００２３】
８・は前記三立杆３，３’，３の前側面部間に架設した前横杆で、同様の前横杆は必要とするだけ前記支杆３，３’，３の上側面部５，５’，５間に適当間隔をおいて架設し、また上側面部から後側面部６，６’，６間に適当間隔をおいて架設する。
【００２４】
９・は前記三立杆３，３’，３の内部において上側面部と後側面部間に架設する支杆である。
【００２５】
１０・は器具の前側面部枠材上に架設した底横杆で、この底横杆と前記後側面部６，６’，６の後横杆８’間には斜杆１１，１１を架設する。
【００２６】
１２，１２，１２，１２は各器具を連結するための輪材間で、この輪材には連結部材を設けることになる。
【実施例２】
【００２７】
図９は前記図１乃至図８に係る実施例１として説明した比較的小型の器具を、各器具の底面部の角部に設けた輪材を隣接して並列した雪止め具を示し、各器具の構成は前記実施例１に示したものと同じである。
【００２８】
複数個並列した各器具が隣接した輪材間には、これらを連結するための部材を設けることになる。
【実施例３】
【００２９】
図１０・図１１は長方形状の底面部が空白状態に成るノーマル型ａを並設したような長尺の形態から成る実施例、図１２・図１３は底面部に２本線材を架設した２本型ｂを並設したような長尺の形態から成る実施例、図１４・図１５は底面部に３本線材を架設した３本型ｃを並設したような長尺の形態から成る実施例、図１６・図１７は底面部が格子線材を並設したような長尺の形態から成る実施例である。
【００３０】
前記各実施例における部材についての符号は、前記各型の器具を構成する部材の符号と同一である。
【００３１】
１３，１３は前記実施例における後側枠材の左右両端部に設けた掛止部材で、この掛止部材は例えば屋根の軒先部の適所に掛止め固定するようになる。
【符号の説明】
【００３２】
１，１                        枠材
２，２，２，２                台板
３，３，３’                  立杆
４，４，４’                  前側面部
５，５，５’                  上側面部
６，６，６’                  後側面部
７，７                        底杆
８・                          前横杆
８’                          後横杆
９・                          支杆
１０・                        底横杆
１１                          斜杆
１２，１２，１２，１２        輪材
１３，１３                    掛止部材
【図１】
2017223009.tif 000002
【図２】
2017223009.tif 000003
【図３】
2017223009.tif 000004
【図４】
2017223009.tif 000005
【図５】
2017223009.tif 000006
【図６】
2017223009.tif 000007
【図７】
2017223009.tif 000008
【図８】
2017223009.tif 000009
【図９】
2017223009.tif 000010
【図１０】
2017223009.tif 000011
【図１１】
2017223009.tif 000012
【図１２】
2017223009.tif 000013
【図１３】
2017223009.tif 000014
【図１４】
2017223009.tif 000015
【図１５】
2017223009.tif 000016
【図１６】
2017223009.tif 000017
【図１７】
2017223009.tif 000018
【手続補正書】
【提出日】平成28年7月5日(2016.7.5)
【手続補正２】
【補正対象書類名】明細書
【補正対象項目名】０００１
【補正方法】変更
【補正の内容】
【０００１】
本発明は、屋根に設置するソーラーパネルの周囲適所に配置する雪止め具に関するものであるが、ソーラーパネルを降雪から保護するだけではなく、これ自体で屋根一般において使用する雪止め具に関するものである。
【手続補正３】
【補正対象書類名】明細書
【補正対象項目名】０００５
【補正方法】変更
【補正の内容】
【０００５】
そこで、本発明は、ソーラーパネル保護を行うのみならず、一般屋根面において降積雪に対する切断を迅速に行うようにするとともに、溶解することができる器具として提供することを目的とするものである。
【手続補正４】
【補正対象書類名】明細書
【補正対象項目名】０００７
【補正方法】変更
【補正の内容】
【０００７】
例えばソーラーパネル材を所定屋根の勾配面に設置した枠材上に設置した各立杆の前側面部，上側面部及び後側面部の全体は前傾形状に成ることから、降積雪に対する切断効果を常に迅速かつ良好に発揮することができるようになる。
【手続補正５】
【補正対象書類名】明細書
【補正対象項目名】００１０
【補正方法】変更
【補正の内容】
【００１０】
本発明における構成の形態は、各実施例に見られるように、多彩なものを製作することができ、それらが例えばすべて屋根上のソーラーパネルの周囲にあって、降積雪に対する切断力を良好に発揮し、かつ溶解速度を迅速に発揮することができるのである。
【手続補正６】
【補正対象書類名】特許請求の範囲
【補正対象項目名】全文
【補正方法】変更
【補正の内容】
【特許請求の範囲】
【請求項１】
全体の底面部の枠材上に適当間隔をおいて設置する立杆はその前側面部と上側面部と後側面部とが前傾状に形成し、全立杆の前側面部，上側面部及び後側面部間には横杆を架設して連結し、前記立杆の内部においてはそれぞれ支杆を架設し、前記立杆の底横杆と立杆の後側面部に架設した後横杆との間に斜杆を架設して成ることを特徴とする屋根用雪止め具。
【請求項２】
底面部の枠材の縦横長さは自由であり、枠材上に設置する立杆数も自由に成ることを特徴とする請求項１に記載した屋根用雪止め具。